(57)【特許請求の範囲】
【請求項１】
光学読取り装置により読取られる特定波長に対して、相互に異なった反射特性を有し、かつ視覚的に区別不能なインキにより、夫々形成される複数種類の判別マークを組合わせて、所定情報を表示するようにしたことを特徴とするカード，帳票等に印刷される情報表示部。
【請求項２】
前記情報表示部を構成する複数種類の判別マークが、光学読取り装置により読取られる特定波長に対して、相互に異なった反射特性を有し、かつ視覚的に区別不能なインキにより夫々形成され、かつ相互に太さの異なった複数種類のバーコードであることを特徴とする請求項１の情報表示部。
【請求項３】
７００〜８００ｎｍの波長域で反射率が異なる、カーボンブラックを含む黒色インキ、イエロー（黄色），マゼンタ（紅色）及びシアン（藍色）を混合してなる混色黒インキ、並びにイエロー（黄色），マゼンタ（紅色）及び鮮青を混合してなる混色黒インキの三種類のインキにより判別マークを形成したものであることを特徴とする請求項１叉は請求項２記載の情報表示部。
【請求項４】
光学読取り装置により読取られる特定波長に対して、相互に異なった反射特性を有し、かつ視覚的に区別不能なインキにより、夫々形成される複数種類の判別マークを組合わせて、所定情報を表示するようにした情報表示部の読取り方法であって、該情報表示部を、光学読取り装置により、その反射波出力に相対的差異を生ずる単一の特定波長で、その反射波出力の差異により各判別マークを判別して、所定情報を判読するようにしたことを特徴とするカード，帳票等に印刷される情報表示部の読取り方法。
【請求項５】
７００〜８００ｎｍの波長域で反射率が異なるカーボンブラックを含む黒色インキ、イエロー（黄色），マゼンタ（紅色）及びシアン（藍色）を混合してなる混色黒インキ、イエロー（黄色），並びにマゼンタ（紅色）及び鮮青を混合してなる混色黒インキの三種類のインキによりバーコードを形成し、該バーコードを、光学読取り装置により、７００〜８００ｎｍの波長域内の特定波長における、その反射波出力の差異を判別して、所定情報を判読するようにしたことを特徴とする請求項４記載の情報表示部の読取り方法。
【請求項６】
光学読取り装置により読取られる特定波長に対して、相互に異なった反射特性を有し、かつ視覚的に区別不能なインキにより、夫々形成される複数種類の判別マークを組合わせて、所定情報を表示するようにした情報表示部の読取り方法であって、該情報表示部を、光学読取り装置により、異なった複数の特定波長で、各判別マークを夫々読取り、その出力の合成により各判別マークを判別して、所定情報を判読するようにしたことを特徴とするカード，帳票等に印刷される情報表示部の読取り方法。
【発明の詳細な説明】
【０００１】
【発明の属する技術分野】
本発明は、テレホンカード，回数券等のカード，証明書，有価証券等の帳票に形成されるものであって、偽造を防止などの目的で、所定情報を表示する情報表示部及びその読取り方法に関する。
【０００２】
【従来の技術】
テレホンカード等の磁気カードにあって、通常その磁気面に、偽造防止などの目的で、バーコードを印刷するようにしている。
【０００３】
このバーコードとしては、従来、透明な蛍光バーコードを用いて、所定波長の励起光に対して発生する所定蛍光波長を光学読取り装置で読取って、その真贋を判断するようにしていた。かかる構成にあっては、透明な蛍光バーコードを用いることにより、該バーコードの所在を秘匿することにより、その偽造を防止しようとするものである。
【０００４】
【発明が解決しようとする課題】
しかるに、このような蛍光波長を読取る手段にあっては、読取り波長（蛍光）を容易に判別できる利点があり、情報処理が簡単であるものの、読取り装置内の放光装置により所定波長の励起光を生成して、放射する必要があり、構造が大掛かりとなる欠点があった。また、特殊な透明蛍光バーコードを用いているから、情報表示部の形成が高価なものとなっていた。
【０００５】
本発明は、大がかりな、読み取り装置を要せず、しかもバーコード等の情報表示部を高価な材料を用いることなく形成し得る手段を提供することを目的とするものである。
【０００６】
【課題を解決するための手段】
本発明は、光学読取り装置により読取られる特定波長に対して、相互に異なった反射特性を有し、かつ視覚的に区別不能なインキにより、夫々形成される複数種類の判別マークを組合わせて、所定情報を表示するようにしたカード，帳票等に印刷される情報表示部に関するものである。ここで、この情報表示部は、磁気カード面や帳票以外にも、包装袋，包装容器等に形成され、種々の情報を表示する情報表示部が対象となる。
【０００７】
かかる構成の情報表示部にあって、光学読取り装置により、その反射波出力に相対的差異を生ずる単一の特定波長で、その反射波出力の差異により各判別マークを判別して、所定情報が判読される。
【０００８】
前記判別マークとしては、二種類用いたものにあっては、一方を例えば、ほぼ９００ｎｍの波長の赤外線を吸収する一般の黒色インキを用い、他方を、イエロー，マゼンタ及びシアンの三原色を混合してなる混色黒インキにより形成して、同じ波長の紅外線を吸収しないインキを用いる。この構成にあっては、他の可視領域の波長にあって、両方とも、視覚的に黒色として認識され、判別不能となっている。
【０００９】
そして、この構成にあっては、ほぼ９００ｎｍの波長で、両者のインキを判別し、その整列状態により、所定情報を読み取る。すなわち、広範囲の波長の光を包含してなる、通常の光を光学読み取り装置から放射し、その反射波のうち、ほぼ９００ｎｍの赤外光を読取り、その出力値を、所定閾値と比較して、二種類のインキを判定し、その組み合わせから、所定情報を読み取ることとなる。
【００１０】
前記判別マークとしては、三種類以上のインキにより形成しても良い。
【００１１】
かかる構成にあっては、ｎ種類のインキを、ｍ個列設した場合には、ｎm の組み合わせを生じ、これに対応した数の情報を表示することが可能となる。従って、インキの種類が多ければ良い。ただし、光学読取り装置による光学的判定を容易とするために、後述するように、二種類又は三種類のインキが好適なものとして採用され得る。
【００１２】
ところで、特に三種類以上のインキの光学的特性を読取る場合には、各インキの特定読取り波長における出力値の差を大きなものとすることができず、従って、判定誤差が生じ易くなる。
【００１３】
そこで、かかる問題点に対応するために、異なった分光特性を有するインキにより形成される複数の判別マークを備えたカード等にあって、光学読取り装置により、異なった複数の特定波長で、各判別マークを夫々読取り、その出力の合成により各判別マークを判別して、所定情報を判読するようにした、情報表示部の読取り方法が提案され得る。
【００１４】
例えば、三種類のインキＡ，Ｂ，Ｃを用いた場合にあって、出力の閾値を適宜に設定すると共に、二つの特定波長を設定する。そして、ある特定周波数では、インキＣのみが所定閾値以上の反射波出力を生じ、他の特定周波数では、インキＢ，Ｃが所定閾値以上の反射波出力を生じるようにする。これにより、その出力を合成すると、インキＡは零出力、インキＢは低出力、インキＣは高出力となり、従って、各インキの種類を容易に判定することができ、その組み合わせから、所定情報を読み取ることとなる。
【００１５】
上述の、相互に異なった分光特性を有するインキにより形成される複数種類の判別マークにより情報表示部を構成したものにあって、インキの種類が、７００〜８００ｎｍの波長域で反射率が異なる、カーボンブラックを含む黒色インキ、イエロー（黄色），マゼンタ（紅色）及びシアン（藍色）を混合してなる混色黒色インキ、及びイエロー（黄色），マゼンタ（紅色）及び鮮青を混合してなる混色黒色インキの三種類を用いることができる。このインキ相互は、７００〜８００ｎｍの波長域で、夫々の反射率を明瞭に区別することができる。尚、これらのインキは、可視領域では、反射率が黒色と同じであるために、見た目には、すべて黒色として知覚される。
【００１６】
また、上述の各構成にあって、前記情報表示部を構成する複数種類の判別マークが、光学読取り装置により読取られる特定波長に対して、相互に異なった反射特性を有し、かつ視覚的に区別不能なインキにより夫々形成され、かつ相互に太さの異なった複数種類のバーコードとすることができる。
このようにすると、ｎ種類のインキで、ｐ種類の太さのバーコードを形成した場合には、単一のバーコードにより、ｎ×ｐの数の情報を表現でき、従って、これをｍ個列設した場合には、（ｎ×ｐ）m の組み合わせを生じ、情報密度が飛躍的に向上することとなる。
【００１７】
この場合にあっても、バーコードを形成するインキの種類を上述のように、７００〜８００ｎｍの波長域で反射率が異なる、カーボンブラックを含む黒色インキ、イエロー（黄色），マゼンタ（紅色）及びシアン（藍色）を混合してなる混色黒色インキ、及びイエロー（黄色），マゼンタ（紅色）及び鮮青を混合してなる混色黒色インキの三種類とし、これを光学読取り装置により、７００〜８００ｎｍの波長域内の特定波長における、その反射波出力の差異を判別して、所定情報を判読することができる。
【００１８】
【発明の実施の形態】
図１は、本発明にかかる磁気カード１を示すものである。
その他、この磁気カード１に代えて、証明書，有価証券等の帳票や、包装袋，包装容器等に本発明に係る情報表示部２ａを適用しても良い。
【００１９】
この磁気カード１の磁気面には、二種類のバー状の判別マーク３ａ，３ｂからなる情報表示部２ａが形成されている。この判別マーク３ａ，３ｂは、通常のバーコードとは異なり、そのバー幅、間隔を同じとしているが、該幅，間隔を変えて、従前のバーコード情報をも、あわせて表示可能としても良い。
【００２０】
この判別マーク３ａは、例えば、ほぼ９００ｎｍの波長の赤外線を吸収する一般の黒色インキを用いている。また、判別マーク３ｂは、イエロー（黄色），マゼンタ（紅色）及びシアン（藍色）の三原色からなる混色黒色インキによって印刷される。この混色黒色インキとしては、およそイエロー３０部，マゼンタ２０部及びシアン５０部によってなるものが供され得る。
【００２１】
図２は両判別マーク３ａ，３ｂの全波長に対する反射波の分光特性曲線を示す。この分光特性で示されるように、かかる両判別マーク３ａ，３ｂにあって、約７００ｎｍ以下の波長において、反射出力が小さく、従って、両方とも、視覚では、黒色として判定され、その差を見極めることができない。しかるに、ほぼ９００ｎｍの特定波長Ｌに対しては、判別マーク３ａはほとんど吸収し、判別マーク３ｂではその反射率が高く、このため、光学読取り装置で、当該波長を読取ると、判別マーク３ａでは、出力が小さく、判別マーク３ｂでは大きな出力を得ることができる。そこで、同図で示すように、判別マーク３ａ，３ｂの反射出力を区別するための閾値Ｈを設定することにより、９００ｎｍの特定波長Ｌにおける、出力値を解析すれば、判別マーク３ａ，３ｂを判定することができる。
【００２２】
このため、図３で示すように、判別マーク３ａ，３ｂを適宜に組み合わせると、例えば、図のように６個のバーで情報表示部２ａを構成することにより、２6 個の組み合わせの表現が可能となる。すなわち、「０」，「１」からなる２6 個のデータを生成することが可能となる。しかも、各判別マーク３ａ，３ｂは視覚によっては、同じものとして認識されるから、隠し文字のような機能を発揮することとなり、偽造防止に有効となる。
【００２３】
図４〜６は、三種類のバー状の判別マーク１３ａ，１３ｂ，１３ｃからなる情報表示部２ｂを、磁気カード１の磁気面に形成するようにしたものである。
【００２４】
ここで、この判別マーク１３ａは、カーボンブラックを含む黒色インキ（インキの種類）、判別マーク１３ｂは、イエロー（黄色），マゼンタ（紅色），シアン（藍色）の混色黒色インキ、判別マーク１３ｃは、イエロー，マゼンタ，鮮青の混色黒色インキが用いられる。
【００２５】
図５は、各判別マーク１３ａ，１３ｂ，１３ｃの全波長に対する反射波の分光特性曲線を示す。この分光特性で示されるように、可視領域である４００ｎｍ〜７００ｎｍの波長において、反射出力が小さく、従って、いずれも、視覚では、黒色として判定される。一方、７００ｎｍ以上の波長の長い領域にあっては、各判別マーク１３ａ，１３ｂ，１３ｃの反射波の出力値（吸収波長特性）は分離し、１３ａは全波長で、その反射波出力が低い状態が維持されて変わらず、判別マーク１３ｂ，１３ｃは出力が波長が長くなるに従って立上がるものの、該判別マーク１３ｃは７００ｎｍ近傍から出力値が立上がり、判別マーク１３ｂは遅れて立上がる。そして、７５０ｎｍ近傍で、各判別マーク１３ａ，１３ｂ，１３ｃの出力値は、夫々大きな差異を生じる。
【００２６】
そこで、かかる７５０ｎｍを特定波長とすると共に、図５で示すように、判別マーク１３ｃと判別マーク１３ｂ間に閾値Ｈ1 を設定し、判別マーク１３ｂと判別マーク１３ａ間に閾値Ｈ2 を設定する。
【００２７】
そして、前記情報表示部２ｂを光学読取り波長で読取り、前記特定波長における出力を、各閾値Ｈ1 ，Ｈ2 で区別することにより、判別マーク１３ａ，１３ｂ，１３ｃを夫々別異のものとして、判定することとなる。
【００２８】
このため、図４で示すように、判別マーク３ａ，３ｂを適宜に組み合わせると、例えば、図中全体を６個のバーを設けることにより、３6 個の組み合わせの表現が可能となる。すなわち、図６で示す「０」，「１」，「２」からなる３6 個のデータを生成することが可能となり、表現し得る情報量が増大する。しかも、各判別マーク１３ａ，１３ｂ，１３ｃは視覚によっては、同じ黒色として認識されるから、隠し文字のような機能を発揮することとなり、偽造防止に有効となる。
【００２９】
ところで、上述の構成にあっては、特定波長において、出力値が分離することを利用して、閾値Ｈ1 ，Ｈ2 を設定し、各判別マーク１３ａ，１３ｂ，１３ｃを区別するものであり、このため閾値Ｈ1 ，Ｈ2 を充分に分離した値を設定することができず、インキの選定によっては、充分な精度を得ることができない場合がある。
【００３０】
そこで、図７で示すように、判別マーク１３ｂの反射波出力値が立上がる前で、しかも判別マーク１３ｃの反射波出力値が充分立上がっている波長を第１の特定波長Ｌ1 とし、さらに、判別マーク１３ｂ，１３ｃが共にその出力値が大きく立上がって、判別マーク１３ａとは明らかな差異を生じている波長を第２の特定波長Ｌ2 とし、さらに、閾値Ｈ0 ，Ｈを設定する。
【００３１】
これにより、第１の特定波長Ｌ1 では、閾値Ｈにより、判別マーク１３ａ，１３ｂと判別マーク１３ｃとが区別され、第２の特定波長Ｌ2 では閾値Ｈにより、判別マーク１３ａと、判別マーク１３ｂ，１３ｃとが区別される。
【００３２】
従って、情報表示部２ｂを光学読取り装置で読取ると、図８で示すように、第１の特定波長Ｌ1 と、第２の特定波長Ｌ2 とで、夫々出力の高低による二値を抽出できる。そこで、夫々の出力値を合成すると、前記判別マーク１３ａでは「０」、判別マーク１３ｂでは第２の特定波長Ｌ2 のみが高出力となり、これを「１」とすることができ、判別マーク１３ｃでは、第１及び第２の特定波長Ｌ1 ，Ｌ2 で夫々高出力値となって、これを「２」とすることができる。そして、かかる構成にあっては、閾値Ｈにより、第１及び第２の特定波長ごとに、高低の二値抽出を行なうものであるから、その判定を精度良く行なうことができ、従って、その出力値によって、判定するこの方法は各判別マーク１３ａ，１３ｂ，１３ｃを明瞭に峻別することができることとなる。
【００３３】
上述の、情報表示部２ｂを構成する、三種類のバー状の判別マーク１３ａ，１３ｂ，１３ｃは、７００〜８００ｎｍの波長域で反射率が異なる他の種類のインキを用いることができる。
【００３４】
このインキとして、図１０で示すように、カーボンブラックを含む黒色インキ、イエロー（黄色），マゼンタ（紅色）及びシアン（藍色）を混合してなる混色黒色インキ、及びイエロー（黄色），マゼンタ（紅色）及び鮮青を混合してなる混色黒色インキの三種類を用いることができる。この構成にあっては、特に７４０〜７６０ｎｍの波長領域で、明瞭に三値化することができる。
【００３５】
上述の鮮青を混合してなる混色黒色インキとしては、黄色24.5％，紅色11.5％，鮮青64.0％からなるUV OCR７５０−１（株式会社Ｔ＆Ｋ  ＴＯＫＡ製）が供され得る。また、他の構成の混色黒色インキとしては、黄色32.8％，紅色22.4％，鮮青44.8％からなるUV OCR７５０−２（株式会社Ｔ＆Ｋ  ＴＯＫＡ製）も提案され得る。
【００３６】
この混色黒色インキは、図１２で示した従来の紅色（マゼンタ）、黄色（イエロー）及び藍色（シアン）の三原色からなる混色黒色インキに比して、藍色材として用いられるシアンを鮮青に変換して、混合したものに相当する。
図１１はシアンと鮮青単独の分光曲線を比較したものである。この分光曲線で明らかなように、鮮青はシアンに比して、変移波長域αが短波長側に存する。従って、この鮮青を藍色材として使用して、紅色（マゼンタ）、黄色（イエロー）と混合することにより、混色黒色インキを形成すると、図１０で示すイエロー（黄色），マゼンタ（紅色）及びシアン（藍色）を混合してなる従来の混色黒色インキに比して、変移波長域αが短波長側に移行した分光特性のインキを得ることができる。
【００３７】
そこで、判別マーク１３ｃとして、かかる鮮青を含有するUV OCR７５０−１，UV OCR７５０−２を混色黒色インキを用い、判別マーク１３ａをカーボンブラックを含む黒色インキを用い、さらに判別マーク１３ｂを、図１２で示すイエロー，マゼンタ，シアンの混色黒色インキを用いると、図１０で示す用に、７００〜８００ｎｍの波長領域で、三種類を判別でき、特に７４０〜７６０ｎｍの領域では、明瞭に判別し得ることとなる。
【００３８】
かかる構成にあっても、図５で示すように、判別マーク１３ｃと判別マーク１３ｂ間に閾値Ｈ1 を設定し、判別マーク１３ｂと判別マーク１３ａ間に閾値Ｈ2 を設定することにより区別される。さらには、図８で示すように、第１の特定波長Ｌ1 と、第２の特定波長Ｌ2 と、閾値Ｈ0 ，Ｈとを設定し、これを合成することにより、三値を区別するようにしても良い。
【００３９】
上述したように、三種類のインキを用いて、判別マークを夫々構成するようにしたものにあって、図９で示すように、線の太さの異なるバーコードを用いることができる。すなわち、細いバーコードからなる、判別マーク１３ａ，１３ｂ，１３ｃと、太いバーコードからなる１３Ａ，１３Ｂ，１３Ｃを形成する。そして、該バーコードを、光学読取り装置で読取って、７００〜８００ｎｍの波長域内の特定波長における、その反射波出力の差異を判別して、所定情報を判読する。このように、このインキの種類を用いて、反射波出力により三値を区分すると共に、これをバーコードに用いて、該バーコードの線の太さを種々変えることにより、情報の高密度化が可能となる。
【００４０】
すなわち、ｎ種類のインキで、ｐ種類の太さのバーコードを形成した場合には、単一のバーコードにより、ｎ×ｐの数の情報を表現でき、従って、これをｍ個列設した場合には、（ｎ×ｐ）m の組み合わせを生じ、情報密度が飛躍的に向上することとなる。
【００４１】
【発明の効果】
本発明は、上述したように、光学読取り装置により読取られる特定波長に対して、相互に異なった反射特性を有し、かつ視覚的に区別不能なインキにより、夫々形成される複数種類の判別マークを組合わせて、所定情報を表示するようにしたものであるため、かかる各構成にあって、インキの種類ｎ又は、判別マークの数ｍを増加させることにより、多くの情報を情報表示部２ａに書き込むことが可能となると共に、その情報内容を視覚により、確認することができない。従って、一般第三者には、視覚的に読取ることができないから、真贋判定のように、単純で、しかも重要な情報を書き込んでも、その内容を秘匿することができると共に、多様で複雑な情報の表示も自在に書き込むことができる利点がある。また、蛍光バーコードを用いる手段と異なり、反射波のうち特定周波数の反射出力の大きさを検出して、読取るものであるから、通常の赤外光を含む幅の広い周波数範囲の光を包含する通常光を用いることができ、従って、放光装置が複雑とならず、光学読取り装置が簡単となると共に、蛍光バーを用いるものではないから、インキも低廉となる。
【００４２】
また、異なった分光特性を有するインキにより形成される複数の判別マークからなる情報表示部にあって、光学読取り装置により、異なった複数の特定波長で、各判別マークを夫々読取り、その出力の合成により各判別マークを判別して、所定情報を判読するようにした、情報表示部の読取り方法にあっては、精度良く情報を読取ることができる利点がある。
【００４３】
上述の、相互に異なった分光特性を有するインキにより形成される複数種類の判別マークにより情報表示部を構成したものにあって、インキの種類が、７００〜８００ｎｍの波長域で反射率が異なる、カーボンブラックを含む黒色インキ、イエロー（黄色），マゼンタ（紅色）及びシアン（藍色）を混合してなる混色黒色インキ、及びイエロー（黄色），マゼンタ（紅色）及び鮮青を混合してなる混色黒色インキの三種類を用いた場合には、７００〜８００ｎｍの波長域で、夫々の反射率を明瞭に区別することができ、光学読取り装置の読取り領域を、近赤外線領域よりも短くすることができ、読取り処理が容易となる。
【００４４】
さらに、光学読取り装置により読取られる特定波長に対して、相互に異なった反射特性を有し、かつ視覚的に区別不能な複数種類のインキにより、相互に太さの異なった複数種類のバーコードを形成した場合には、情報密度を飛躍的に向上し得ることとなる。
【図面の簡単な説明】
【図１】本発明に係る情報表示部２ａを備えた磁気カード１の裏面図である。
【図２】２ａを構成する判別マーク３ａ，３ｂの分光特性を比較して示す波形図である。
【図３】判別マーク３ａ，３ｂの情報処理を示す概念図である。
【図４】本発明に係る情報表示部２ｂを備えた磁気カード１の裏面図である。
【図５】情報表示部２ｂを構成する判別マーク１３ａ，１３ｂ，１３ｃの分光特性と、情報表示部の読取り方法の一例を示す波形図である。
【図６】前記読取り方法による情報処理を示す概念図である。
【図７】情報表示部２ｂを構成する判別マーク１３ａ，１３ｂ，１３ｃの分光特性と、情報表示部の読取り方法の他例を示す波形図である。
【図８】他例の読取り方法による情報処理を示す概念図である。
【図９】複数種類のインキによりバーコードを構成した場合の情報処理を示す概念図である。
【図１０】カーボンブラックを含む黒色インキ、イエロー，マゼンタ及びシアンを混合してなる混色黒色インキ、及びイエロー，マゼンタ及び鮮青を混合してなる混色黒色インキの三種類のインキの夫々の分光特性を比較して示す波形図である。
【図１１】シアン（藍色）と鮮青の夫々の分光特性を比較して示す波形図である。
【図１２】イエロー，マゼンタ及びシアン（藍色）と、これらを混合してなる混色黒色インキの夫々の分光特性を比較して示す波形図である。
【符号の説明】
１  磁気カード
２ａ，２ｂ  情報表示部
３ａ，３ｂ  判別マーク
１３ａ，１３ｂ，１３ｃ  判別マーク
【図１】
0003896153.tif 000002
【図２】
0003896153.tif 000003
【図３】
0003896153.tif 000004
【図４】
0003896153.tif 000005
【図５】
0003896153.tif 000006
【図６】
0003896153.tif 000007
【図７】
0003896153.tif 000008
【図８】
0003896153.tif 000009
【図９】
0003896153.tif 000010
【図１０】
0003896153.tif 000011
【図１１】
0003896153.tif 000012
【図１２】
0003896153.tif 000013